(57)【要約】  【課題】  親機から離れた子機を使用するユーザのプライバシーを守れる通話録音機能を備えた親機を提供することである。  【解決手段】  ハンドセット受話器をもたない親機２０は、操作部２４と、通話を録音するメモリ２６と、所定の子機の通話の録音を許可し、他の子機の通話の録音を不許可とする主制御部２９とを備え、操作部２４が操作されて通話の録音の開始が指示されるステップと、主制御部２９が、通話中の子機を特定するステップと、通話中の子機が通話の録音を許可している所定の子機である場合、前記メモリに通話の録音を開始し、前記操作部が操作されて通話の録音の終了が指示されるか、通話が終了した場合に、通話の録音を終了するステップと、通話中の子機が通話の録音を不許可とする前記他の子機である場合、通話の録音を開始せずにエラートーンを出力するステップとを有する構成とする。【選択図】      図２
2006261945.tif 000002
【特許請求の範囲】
【請求項１】
公衆電話回線に接続されるとともに、複数の子機と無線通信する親機において、
通話の録音の開始及び終了を指示する操作部と、通話を録音するメモリと、所定の子機の通話の録音を許可し、他の子機の通話の録音を不許可とする制御部とを備えたことを特徴とする親機。
【請求項２】
前記親機はハンドセット受話器をもたないことを特徴とする請求項１記載の親機。
【請求項３】
前記操作部が操作されて通話の録音の開始が指示されるステップと、
前記制御部が、通話中の子機を特定するステップと、
通話中の子機が通話の録音を許可している前記所定の子機である場合、前記メモリに通話の録音を開始し、前記操作部が操作されて通話の録音の終了が指示されるか、通話が終了した場合に、通話の録音を終了するステップと、
通話中の子機が通話の録音を不許可とする前記他の子機である場合、通話の録音を開始せずにエラートーンを出力するステップと、を備えたことを特徴とする請求項１又は２記載の親機。
【請求項４】
前記メモリに録音された通話を再生するための暗証番号を子機毎に定めることを特徴とする請求項１〜３の何れかに記載の親機。
【請求項５】
公衆電話回線に接続されるとともに、複数の子機と無線通信し、ハンドセット受話器をもつ親機において、
通話の録音の開始及び終了を指示する操作部と、通話を録音するメモリと、親機及び所定の子機の通話の録音を許可し、他の子機の通話の録音を不許可とする制御部とを備えたことを特徴とする親機。
【請求項６】
前記操作部が操作されて通話の録音の開始が指示されるステップと、
前記制御部が、通話中の機器を特定するステップと、
通話中の機器が親機又は通話の録音を許可している前記所定の子機である場合、前記メモリに通話の録音を開始し、前記操作部が操作されて通話の録音の終了が指示されるか、通話が終了した場合に、通話の録音を終了するステップと、
通話中の機器が通話の録音を不許可とする前記他の子機である場合、通話の録音を開始せずにエラートーンを出力するステップと、を備えたことを特徴とする請求項５記載の親機。
【請求項７】
前記メモリに録音された通話を再生するための暗証番号を親機及び子機毎に定めることを特徴とする請求項５又は６記載の親機。
【請求項８】
請求項１〜７の何れかに記載の親機と、該親機と無線通信する複数の子機とからなることを特徴とする通信システム。
【発明の詳細な説明】
【技術分野】
【０００１】
本発明は、親機と、親機と無線通信する複数の子機とを備えた通信システムに関するものである。
【背景技術】
【０００２】
現在普及している電話機は、１台の親機に対して複数のコードレス子機を接続することが可能である。この親機の機能の一つに、通話中の会話を録音する通話録音機能がある。これは、親機又は何れかの子機を使用中に親機の通話録音キーを押下することにより、通話中の会話が録音されるものであった。
【０００３】
また特許文献１には、無線送受信を行う際の通話とともに、操作手段の操作により、その通話時の会話を録音し、またその後に再生する制御を行うようにした通話録音式移動無線電話装置が開示されている。通話録音式移動無線電話装置は例えば携帯電話機であり、携帯電話機の操作により携帯電話機内に録音される。
【特許文献１】特開平５−１６７７３７号公報
【発明の開示】
【発明が解決しようとする課題】
【０００４】
しかしながら、上記従来の通話録音機能では、親機の操作で全ての子機での通話を録音できるので、親機から離れた場所で使用している子機のユーザが意図しない場合でも、他のユーザが親機を操作して子機の通話を録音することが可能である。従って、子機を使用しているユーザのプライバシーが侵害されるおそれがある。
【０００５】
また電話機の機種によっては、親機にハンドセット受話器がなく子機を充電する充電台を有するものがある。このシステムによると、通常、親機に第１の子機をセットしておき、第２の子機以下を離れた場所に設置することになる。この場合は、第１の子機は親機のそばで使用されることになる。そのため通話録音機能は、第１の子機を使用するユーザにとっては親機を操作して録音できるので有用な機能といえる。しかし、第２の子機以下を使用するユーザにとっては、上記と同様にプライバシーが侵害されるおそれがある。
【０００６】
また特許文献１は、自身の機器の通話を自身の機器に録音するのでプライバシーは守られるが、これを上記の親機と子機の通信システムに適用すると、それぞれの子機に通話録音機能が必要となる。つまり、子機毎に録音用のメモリや制御部が必要となり、コストアップになる。
【０００７】
そこで本発明は、親機から離れた子機を使用するユーザのプライバシーを守れる通話録音機能を備えた親機を提供することを目的とする。またその親機と複数の子機とからなる通信システムを提供することも目的とする。
【課題を解決するための手段】
【０００８】
上記目的を達成するために本発明は、公衆電話回線に接続されるとともに、複数の子機と無線通信する親機において、通話の録音の開始及び終了を指示する操作部と、通話を録音するメモリと、所定の子機の通話の録音を許可し、他の子機の通話の録音を不許可とする制御部とを備えたことを特徴とする。
【０００９】
なお、前記親機はハンドセット受話器をもたなくてもよい。
【００１０】
また本発明は上記の親機において、前記操作部が操作されて通話の録音の開始が指示されるステップと、前記制御部が、通話中の子機を特定するステップと、通話中の子機が通話の録音を許可している前記所定の子機である場合、前記メモリに通話の録音を開始し、前記操作部が操作されて通話の録音の終了が指示されるか、通話が終了した場合に、通話の録音を終了するステップと、通話中の子機が通話の録音を不許可とする前記他の子機である場合、通話の録音を開始せずにエラートーンを出力するステップと、を備えたことを特徴とする。
【００１１】
また本発明は上記の親機において、前記メモリに録音された通話を再生するための暗証番号を子機毎に定めることを特徴とする。
【００１２】
また本発明は、公衆電話回線に接続されるとともに、複数の子機と無線通信し、ハンドセット受話器をもつ親機において、通話の録音の開始及び終了を指示する操作部と、通話を録音するメモリと、親機及び所定の子機の通話の録音を許可し、他の子機の通話の録音を不許可とする制御部とを備えたことを特徴とする。
【００１３】
また本発明は上記の親機において、前記操作部が操作されて通話の録音の開始が指示されるステップと、前記制御部が、通話中の機器を特定するステップと、通話中の機器が親機又は通話の録音を許可している前記所定の子機である場合、前記メモリに通話の録音を開始し、前記操作部が操作されて通話の録音の終了が指示されるか、通話が終了した場合に、通話の録音を終了するステップと、通話中の機器が通話の録音を不許可とする前記他の子機である場合、通話の録音を開始せずにエラートーンを出力するステップと、を備えたことを特徴とする。
【００１４】
また本発明は上記の親機において、前記メモリに録音された通話を再生するための暗証番号を親機及び子機毎に定めることを特徴とする。
【００１５】
また本発明の通信システムは、上記の親機と、該親機と無線通信する複数の子機とからなることを特徴とする。
【発明の効果】
【００１６】
本発明によれば、親機の近くで使用される子機の通話録音を許可することにより、その子機を使用しているユーザは親機を操作することで会話の内容を録音させることができ、一方、親機から離れた子機の通話録音を不許可とすることにより、その子機を使用するユーザのプライバシーを守ることができる。
【００１７】
また、子機ではなく親機に通話録音のための操作部を設けているので、子機をもって会話しているユーザは、通話録音するために耳から子機を離して操作する必要がなく、会話をしながら親機を操作できるので、使い勝手がよい。
【００１８】
また本発明によれば、再生のための暗証番号を設定することにより、より確実にユーザのプライバシーを守ることができる。
【発明を実施するための最良の形態】
【００１９】
図１は通信システムの構成を示すブロック図、図２は親機の構成を示すブロック図、図３は子機の構成を示すブロック図である。通信システム１０は、公衆電話網１１に接続された電話機の親機２０と、親機２０と無線通信可能な第１、第２及び第３の子機３０、４０、５０とから構成される。なお、子機は増設可能である。
【００２０】
親機２０は、公衆電話網１１（回線Ｌ）に接続され、回線の閉結、着信信号の検出、極性反転の検出等を行う電話回線制御部２１と、アンテナやチューナを備え第１〜第３の子機３０、４０、５０との無線通信を行う無線部２２と、該無線部２２で受信された音声信号の変調及び復調を行う音声信号処理部２３と、通話の録音の開始・終了を指示する通話録音キー２４ａや録音した通話の再生を指示する再生キー２４ｂ等を有する操作部２４と、液晶パネルからなる表示部２５と、通話を録音した情報である録音情報２６ａと録音情報２６ａを読み出すための暗証番号２６ｂ等を有するメモリ２６と、スピーカ２７と、第１の子機３０を充電する子機充電台２８と、親機２０を制御する主制御部２９とを備えている。なお、暗証番号２６ｂは通話録音可能な子機毎に設定される。
【００２１】
親機２０にはハンドセット受話器がなく、第１の子機３０を子機充電台２８にスタンバイさせることで第１の子機３０を親機２０のハンドセット受話器代わりに使用することができる。
【００２２】
また、第１の子機３０は、アンテナやチューナや電界強度判定回路を備え親機２０との無線通信を行う無線部３１と、各種キーからなる操作部３２と、液晶パネルからなる表示部３３と、音声信号を処理する音声信号処理部３４と、マイク３５と、スピーカ３６と、第１の子機３０を制御する主制御部３７とを備えている。
【００２３】
第２、第３の子機４０、５０は第１の子機３０と同様の構成である。なお、第１〜第３の子機３０、４０、５０は親機２０を介して公衆電話網１１へ接続される。
【００２４】
このような通信システム１０には、様々な機能が付加されている。その一つに通話中の会話を録音する通話録音機能がある。この通話録音機能は親機２０に備わっており、所定の子機の通話を録音することができる。本実施形態では第１の子機３０の通話のみを録音することができる。
【００２５】
図４は、通話を録音するときの親機の動作を示すフローチャートである。ステップＳ１０で第１〜第３の子機３０、４０、５０の何れかが通話中である場合に、ステップＳ１１で親機２０の通話録音キー２４ａが押下されると、主制御部２９は通話の録音の開始が指示されたと判断して、ステップＳ１２へ進んで通話中の子機が第１の子機３０であるか否かを判別する。ステップＳ１２において第１の子機が通話中である場合は、通話の録音が許可されているので、ステップＳ１３へ進んでメモリ２６へ通話の録音を開始する。
【００２６】
ステップＳ１３からステップＳ１４へ進んで、通話の録音中に通話録音キー２４ａが押下されるか、通話が終了して第１の子機３０が切断されると、主制御部２９は通話の録音の終了が指示されたと判断して、ステップＳ１５へ進んで親機２０は通話の録音を終了する。
【００２７】
一方、ステップＳ１２において第１の子機が通話中でない場合、つまり第２又は第３の子機４０、５０が通話中である場合は、ステップＳ１６へ進んで通話の録音を不許可とする。具体的には、通話の録音を開始せずにエラートーンを出力して親機２０を操作しているユーザに通話録音機能が使えない旨を知らせる。なお、他の方法として、通話録音キー２４ａを無効にしてもよい。
【００２８】
このように、親機２０の近くで使用される第１の子機３０の通話録音を許可することにより、第１の子機３０を使用しているユーザは親機２０の通話録音キー２４ａを操作することで会話の内容を録音させることができ、一方、親機２０から離れた第２又は第３の子機４０、５０の通話録音を不許可とすることにより、第２又は第３の子機４０、５０を使用するユーザのプライバシーを守ることができる。
【００２９】
また、第１の子機３０ではなく親機２０に通話録音キー２４ａを設けているので、第１の子機３０をもって会話しているユーザは、通話録音するために耳から子機を離して操作部３２を操作する必要がなく、会話をしながら親機２０の通話録音キー２４ａを押下できるので、使い勝手がよい。
【００３０】
上記のようにして録音された録音情報２６ａは、親機２０の再生キー２４ｂを押下し、続いて第１の子機３０用に設定された暗証番号を入力することで再生される。このとき親機２０は主制御部２９において、入力された暗証番号とメモリ２６に記憶された暗証番号２６ｂとを比較して一致していれば再生内容を親機２０又は第１の子機３０のスピーカ２７、３６から出力する。また、第１〜第３の子機３０、４０、５０に再生キーを設け、再生キーの押下と暗証番号の入力により再生内容をそれぞれの子機で聞けるようにしてもよい。また、録音情報２６ａの再生は外線リモート機能により外出先の電話から再生できるようにしてもよい。
【００３１】
このように再生のための暗証番号を設定することにより、より確実にユーザのプライバシーを守ることができる。
【００３２】
上記の実施形態では、第１の子機３０のみ通話録音を許可しているが、第２又は第３の子機４０、５０のプライバシーを守れる状態、つまり第２又は第３の子機４０、５０を親機２０の近くに配設する場合は、第２又は第３の子機４０、５０の通話録音を許可してもよい。この場合は、通話録音を許可した子機毎に再生のための暗証番号を登録しておくことでそれぞれの子機を使用するユーザのプライバシーを守ることができる。
【００３３】
上記の実施形態では、親機２０にハンドセット受話器がない例について説明したが、本発明はハンドセット受話器をもつ親機にも適用することができる。その場合、親機の制御部で親機及び所定の子機の通話の録音を許可し、他の子機の通話の録音を不許可とするように制御すればよい。例えば、親機と第１の子機の通話の録音を許可し、第２の子機以下の通話の録音を不許可とすれば、第１の子機は親機の近くで使用することでユーザのプライバシーは守られ、第２の子機以下は親機から離れた場所で使用してもユーザのプライバシーを守ることができる。またこの場合、親機の通話中に録音した録音情報を再生するために、親機の暗証番号を登録しておけばよい。
【産業上の利用可能性】
【００３４】
本発明の通信システムは、電話機の親機と複数の子機とからなるものであり、親機に通話録音機能を有し、子機には通話録音機能をもたないものである。
【図面の簡単な説明】
【００３５】
【図１】本発明の通信システムの構成を示すブロック図である。
【図２】本発明の親機の構成を示すブロック図
【図３】本発明の子機の構成を示すブロック図である。
【図４】本発明の通話を録音するときの親機の動作を示すフローチャートである。
【符号の説明】
【００３６】
１０    通信システム
２０    親機
２４    操作部
２６    メモリ
２９    主制御部
３０    第１の子機
４０    第２の子機
５０    第３の子機
【図１】
2006261945.tif 000003
【図２】
2006261945.tif 000004
【図３】
2006261945.tif 000005
【図４】
2006261945.tif 000006